(57)【特許請求の範囲】
【請求項１】
帯状の金属板に対し、その幅方向の断面において、この金属板の一面を湾曲内側とする湾曲を施してテンパー処理をした後、この金属板の他面側がリング内側となるようにこの金属板をリング状に成形し、前記幅方向の湾曲により直線状態に維持され、且つ、この湾曲を解除することで直線状態からリング状態に弾性復帰するように構成された主板バネと、
帯状の金属板をその一面側がリング内側となるようにリング状に成形してなる副板バネとを、
直線状態にした主板バネの一面に直線状態にした副板バネの一面を向き合わせて重ね合わせた状態で、両板バネの両端間の一箇所又は両板バネの両端部において固着させると共に、
この固着箇所以外の箇所において、両板バネに巻き付けられると共に、主板バネに固着された金属帯によって束ねるようにしてなることを特徴とするバンド装置。
【請求項２】
主板バネの一面側を覆うカバー外面と、主板バネの他面側を覆うカバー内面とを有するカバー体を有すると共に、
このカバー体のカバー外面及びカバー内面のいずれか一方に雌雄をなす面状ファスナーの一方が備えられ、かつ、これらの他方に雌雄をなす面状ファスナーの他方が備えられていることを特徴とする請求項１に記載のバンド装置。
【発明の詳細な説明】
【技術分野】
【０００１】
この発明は、直線状態から、弾性復帰を促す外力を作用させることで、巻回状態に復帰して、対象物に巻き付くリング状となるバンド装置の改良に関する。
【背景技術】
【０００２】
断面円弧状にて直線状態を保持し、この断面円弧状の解消により捲線状態に変形する可逆変形可能な細長い板バネを主体としたアームバンドがある。（特許文献１参照）この種のバンドは、前記断面円弧状を解消する外力を作用させることで捲線状態にいわば自動的に変形させて対象物（特許文献１では腕）に巻き付けることができるものであるが、対象物に応じてバンドの全長を長くすればするほど、巻き付け終わるまでの時間を長くさせてしまうものであった。したがって、特許文献１の構造のものは、バンドの全長が比較的短い場合には格別支障はないが、バンドの全長が長く、しかも、対象物に早く巻き付けることが求められる場合に用いるのには不向きである。
【先行技術文献】
【特許文献】
【０００３】
【特許文献１】実用新案登録第３０６２９９０号公報
【発明の概要】
【発明が解決しようとする課題】
【０００４】
この発明が解決しようとする主たる問題点は、この種のバンド装置において、その全長を長くしても対象物に素早く巻く付くようにする点にある。
【課題を解決するための手段】
【０００５】
前記目的を達成するために、この発明にあっては、バンド装置を、帯状の金属板に対し、その幅方向の断面において、この金属板の一面を湾曲内側とする湾曲を施してテンパー処理をした後、この金属板の他面側がリング内側となるようにこの金属板をリング状に成形し、前記幅方向の湾曲により直線状態に維持され、且つ、この湾曲を解除することで直線状態からリング状態に弾性復帰するように構成された主板バネと、
帯状の金属板をその一面側がリング内側となるようにリング状に成形してなる副板バネとを、
直線状態にした主板バネの一面に直線状態にした副板バネの一面を向き合わせて重ね合わせた状態で、両板バネの両端間の一箇所又は両板バネの両端部において固着させると共に、
この固着箇所以外の箇所において、両板バネに巻き付けられると共に、主板バネに固着された金属帯によって束ねるようにしてなるものとした。
【０００６】
直線状態の主板バネの両端末間に前記幅方向の湾曲を解く向きの外力を作用させると、この外力の作用された箇所において主板バネのかかる幅方向の湾曲が解かれると共に、この箇所から主板バネの弾性復帰が開始される。かかる主板バネの幅方向の湾曲は前記外力が作用された箇所から次第にその端末に向けて解かれて行き、また、これに伴って主板バネは前記外力が作用された箇所を中心としてその両端末を次第に近づける向きに湾曲して行き、最終的には完全に弾性復帰して前記リング状態となる。かかる主板バネが直線状態にあるとき、副板バネも直線状態に弾性変形され、副板バネに蓄勢がなされる。主板バネのリング状態への弾性復帰が開始されると、前記金属帯の巻き付け箇所においてそれぞれ副板バネの付勢力が主板バネに作用されることから、各巻き付け箇所においてそれぞれ主板バネの前記弾性復帰の速度を増速させることができる。すなわち、かかるバンド装置にあっては、前記副板バネを主板バネに組み合わせていない場合に比べて、より早く主板バネを直線状態からリング状態に変移させることができ、したがって、バンド装置の全長が比較的長い場合であっても、対象物に対してバンド装置をできるだけ早く巻き付けさせることができる。また、バンド装置における対象物に対する巻き付き状態を、かかる副板バネによってより強固なものとすることができる。
【０００７】
このように組み合わされた主バネ及び副板バネを、主板バネの一面側を覆うカバー外面と、主板バネの他面側を覆うカバー内面とを有するカバー体に納めて、バンド装置は構成すると共に、かかるカバー体のカバー内面及びカバー外面のいずれか一方に雌雄をなす面状ファスナーの一方を備えられ、かつ、これらの他方に雌雄をなす面状ファスナーの他方を備えるようにしておくこともある。このようした場合、かかる面状ファスナーにより、前記主板バネ及び副板バネがリング状態となったときに、カバー体の一端側と他端側とを係合させることができ、対象物にバンド装置が巻き付いた状態をこの面状ファスナーによっても維持することができる。
【発明の効果】
【０００８】
この発明にかかるバンド装置は、主板バネのリング状態への弾性復帰をこの主板バネと副板バネとの固着箇所以外の箇所に巻かれた金属帯により副板バネによって補助することができ、主板バネの全長、すなわち、バンド装置の全長を長くしても対象物に素早く巻き付けることができる。
【図面の簡単な説明】
【０００９】
【図１】図１は実施の形態にかかるバンド装置の正面図である。
【図２】図２は前記バンド装置の底面図である。
【図３】図３は前記バンド装置の背面図である。
【図４】図４は図１におけるＡ−Ａ線位置での切断端面図である。
【図５】図５は図１におけるＢ−Ｂ線位置での切断端面図である。
【図６】図６は図１におけるＣ−Ｃ線位置での切断端面図である。
【図７】図７は前記バンド装置が固着箇所を略中心としてリング状態への変形を開始した直後の状態を示した平面図である。
【図８】図８は前記バンド装置がリング状態となる直前の状態を示した平面図である。
【図９】図９は前記バンド装置がリング状態となった状態を示した平面図である。
【図１０】図１０は図９の状態となったバンド装置の側面図である。
【図１１】図１１は図１０におけるＤ−Ｄ線位置での切断端面図である。
【図１２】図１２は前記バンド装置を構成する主板バネ及び副板バネをカバー体に納めた状態の正面図である。
【図１３】図１３は前記バンド装置を構成する主板バネ及び副板バネをカバー体に納めた状態の背面図である。
【発明を実施するための形態】
【００１０】
以下、図１〜図１３に基づいて、この発明の典型的な実施の形態について、説明する。この実施の形態にかかるバンド装置は、直線状態から、弾性復帰を促す外力を作用させることで、リング状態に復帰して、対象物（図示は省略する。）に巻き付くものである。
【００１１】
かかるバンド装置は、帯状の金属板１’から形成される主板バネ１と、帯状の金属板２’から形成される副板バネ２とを備えている。図示の例では、一枚の主板バネ１に一枚の副板バネ２を重ね合わせて、この主板バネ１のリング状態への復帰をこの一枚の金属板２’からなる副板バネ２により補助するようになっているが、かかる副板バネ２はそれぞれバネ性を付与された二以上の前記金属板２’を積層させて構成させても良い。
【００１２】
主板バネ１は、帯状の金属板１’に対し、その幅方向の断面において、この金属板１’の一面１ａを湾曲内側とする湾曲を施してテンパー処理をした後、この金属板１’の他面１ｂ側がリング内側となるようにこの金属板１’をリング状に成形し、前記幅方向の湾曲により直線状態に維持され、且つ、この湾曲を解除することで直線状態からリング状態に弾性復帰するように構成されている。
【００１３】
典型的には、かかる主板バネ１は、帯状をなすリボン鋼に前記幅方向の湾曲を成形機により施した後、これにテンパー処理を施し（一例として摂氏２５０度程度で２０分程度のテンパー処理）、次いでこれを成形機により前記リング状となるように成形する。すなわち、かかる成形により、主板バネ１は、弾性復帰時に一方の端末１ｃの外側に他方の端末１ｃを位置させて両端末１ｃを重ね合わせ全体としてリング状をなすように構成される。
【００１４】
かかる主板バネ１は、前記幅方向の湾曲により、弾性復帰時には前記リング状を呈するにもかかわらず、直線状態が維持されるようになっている。（図１〜図６）この直線状態において、主板バネ１の幅方向の断面形状は、その長さ方向のいずれの位置においても、前記金属板１’の一面１ａを湾曲内側とする弧状をなしている。（図４〜図６）
【００１５】
直線状態の主板バネ１の両端末１ｃ、１ｃ間に前記幅方向の湾曲を解く向きの外力を作用させると、この外力の作用された箇所において主板バネ１のかかる幅方向の湾曲が解かれると共に、この箇所から主板バネ１の弾性復帰が開始される。かかる主板バネ１の幅方向の湾曲は前記外力が作用された箇所から次第にその端末１ｃに向けて解かれて行き、また、これに伴って主板バネ１は前記外力が作用された箇所を中心としてその両端末１ｃを次第に近づける向きに湾曲して行き、（図７から図８）最終的には完全に弾性復帰して前記リング状態となる。（図９、図１０）
【００１６】
一方、副板バネ２は、帯状の金属板２’を、その一面２ａ側がリング内側となるようにこれをリング状に成形してなる。
【００１７】
典型的には、かかる副板バネ２は、帯状をなすリボン鋼に成形機により前記リング状をなすように成形した後、これにテンパー処理を施して構成される。すなわち、かかる成形により、副板バネ２は、全体としてリング状をなす。
【００１８】
そして、この実施の形態にあっては、主板バネ１と副板バネ２とは、直線状態にした主板バネ１の一面１ａに直線状態にした副板バネ２の一面２ａを向き合わせて重ね合わせた状態で、両板バネ１、２の両端間の一箇所において固着させ合わされている。それと共に、両板バネ１、２は、かかる固着箇所３以外の箇所において、両板バネ１、２に巻き付けられると共に、主板バネ１に固着された金属帯４によって束ねるようになっている。
【００１９】
図示の例では、副板バネ２の全長は主板バネ１の全長よりやや短く、また、副板バネ２の幅は主板バネ１の幅よりやや小さくなっている。そして、両板バネ１、２は、それぞれの長さ方向中程の位置に設けた貫通穴１ｄ、２ｂに副板バネ２の側から通されたリベット体５の端末１ｃを主板バネ１の側においてカシメさせることで、この中程の位置において固着させ合わされている。（図４）図中符号６で示すのは、かかるリベット体５を利用して主板バネ１と副板バネ２との間に介在されるスペーサーである。
【００２０】
金属帯４は、両板バネ１、２の前記固着箇所３と主板バネ１の左側の端末１ｃとの間、および、かかる固着箇所３と主板バネ１の右側の端末１ｃとの間においてそれぞれ、隣り合う金属帯４との間に両板バネ１、２の長さ方向に間隔を開けて、複数箇所に備えられている。金属帯４は、薄い金属板から構成されると共に、両帯端に貫通穴４ａを有しており、この貫通穴４ａと主板バネ１に形成させた貫通穴１ｅとに挿通されたリベット体７の両端をそれぞれカシメさせることで主板バネ１に固着されている。主板バネ１が直線状態にあるときは、かかる金属帯４は副板バネ２には圧接しないようになっている。（図５）主板バネ１に前記幅方向の湾曲を解く向きの外力が作用されると、これが解かれた箇所において主板バネ１の長さ方向に亘る両縁部１ｆ、１ｆ間の距離が広がり、これによって金属帯４は副板バネ２に圧接され、この金属帯４の巻き付け箇所において副板バネ２の付勢力が主板バネ１の前記弾性復帰を補助するようになっている。
【００２１】
前記主板バネ１が直線状態にあるとき、副板バネ２も直線状態に弾性変形され、副板バネ２に蓄勢がなされる。主板バネ１のリング状態への弾性復帰が開始されると、前記金属帯４の巻き付け箇所においてそれぞれ副板バネ２の付勢力が主板バネ１に作用されることから、各巻き付け箇所においてそれぞれ主板バネ１の弾性復帰の速度を増速させることができる。すなわち、この実施の形態にかかるバンド装置にあっては、前記副板バネ２を主板バネ１に組み合わせていない場合に比べて、より早く主板バネ１を直線状態からリング状態に変移させることができ、したがって、バンド装置の全長が比較的長い場合であっても、対象物に対してバンド装置をできるだけ早く巻き付けさせることができる。また、バンド装置における対象物に対する巻き付き状態を、かかる副板バネ２によってより強固なものとすることができる。
【００２２】
バンド装置が対象物に巻き付いた状態は、リング状態となった主板バネ１の両端末１ｃ、１ｃ間の距離を離隔させるように操作してこの主板バネ１を再び直線状態に向けて弾性変形させることで解くことができる。主板バネ１は前記他面１ｂをリング内側とするリング状態の湾曲を解かれると代わりに前記幅方向の湾曲を生じるようになっており、前記操作により主板バネ１は最終的にその長さ方向に亘るどの箇所においても前記幅方向に湾曲された状態となって直線状態に復帰される。すなわち、主板バネ１は直線状態からリング状態に変形可能で且つリング状態から直線状態に変形可能であり、かつ、外力を作用されない限り主板バネ１のいずれの状態も維持されるようになっている。
【００２３】
なお、図示は省略するが、前記主板バネ１と副板バネ２との前記固着は、両板バネ１、２の両端部においてなされるようにしても良い。
【００２４】
また、この実施の形態にあっては、主板バネ１の一方の端末１ｃに、延長帯材８の一端が一体に止着され、この延長帯材８によってバンド装置の全長が主板バネ１の全長よりも長くなっている。かかる延長帯材８は、典型的には、ゴム又はゴム状弾性を備えたプラスチックから構成され、図示の例ではその一端の一面を主板バネ１の他面１ｂに接着させている。これにより、この実施の形態にあっては、主板バネ１が前記リング状態となるときに、このリング状態において主板バネ１が倣う仮想の円（図示は省略する。）の円弧上に、延長帯材８が備えられていない主板バネ１の他方の端末１ｃが到達した後に延長帯材８が到達するようにすることができ、リング状態においてはできるだけ主板バネ１の一方の端末１ｃ側が他方の端末１ｃ側の外に位置されるようにしてある。かかる延長帯材８の他端に重り９（各図において想像線で示す。）を装着すれば、主板バネ１が前記リング状態になるときの前記仮想の円の円弧上への延長帯材８の到達をより遅らせることができる。
【００２５】
以上のように組み合わされた主バネ及び副板バネ２を、主板バネ１の一面１ａ側を覆うカバー外面１０ａと、主板バネ１の他面１ｂ側を覆うカバー内面１０ｂとを有するカバー体１０に納めて、バンド装置は構成される。（図１２及び図１３）かかるカバー体１０は典型的には織物生地やシートから構成される。かかるカバー体１０のカバー内面１０ｂ及びカバー外面１０ａのいずれか一方に雌雄をなす面状ファスナー１０ｃ、１０ｄの一方が備えられ、かつ、これらの他方に雌雄をなす面状ファスナー１０ｃ、１０ｄの他方が備えられている。かかる面状ファスナー１０ｃ、１０ｄにより、前記主板バネ１及び副板バネ２がリング状態となったときに、カバー体１０の一端側と他端側とが係合され、対象物にバンド装置が巻き付いた状態はこの面状ファスナー１０ｃ、１０ｄによっても維持される。
【符号の説明】
【００２６】
１  主板バネ
１’  金属板
１ａ  一面
１ｂ  他面
２  副板バネ
２’  金属板
２ａ  一面
３  固着箇所
４  金属帯
【図１】
0005465220.tif 000002
【図２】
0005465220.tif 000003
【図３】
0005465220.tif 000004
【図４】
0005465220.tif 000005
【図５】
0005465220.tif 000006
【図６】
0005465220.tif 000007
【図７】
0005465220.tif 000008
【図８】
0005465220.tif 000009
【図９】
0005465220.tif 000010
【図１０】
0005465220.tif 000011
【図１１】
0005465220.tif 000012
【図１２】
0005465220.tif 000013
【図１３】
0005465220.tif 000014